(57)【特許請求の範囲】
【請求項１】
検査室内に設置され、被検体にＸ線を照射するＸ線管と、前記被検体を透過したＸ線を検出するＸ線検出器とを備えた架台装置と、
操作室内に設置され、前記架台装置からの検出信号を取り込んで画像構成をするために、複数の検査条件が予め記憶された検査条件記憶手段と、前記検査条件の何れかを選択するための第１の入力手段と、前記検査条件に基づいて前記架台装置を動作させる制御手段とを備えた操作コンソール部とを有するＸ線ＣＴ装置であって、
前記架台装置の動作開始を前記制御手段に指示するための第２の入力手段が前記架台装置に設けられ、
前記制御手段は、前記第２の入力手段によって入力されたことを受けて、前記第１の入力手段によって選択された検査条件に基づいて前記架台装置の動作を開始させることを特徴とするＸ線ＣＴ装置。
【請求項２】
検査室内に設置され、被検体にＸ線を照射するＸ線管と、前記被検体を透過したＸ線を検出するＸ線検出器とを備えた架台装置と、
操作室内に設置され、前記架台装置からの検出信号を取り込んで画像構成をするために、複数の検査条件が予め記憶された検査条件記憶手段と、前記検査条件の何れかに基づいて前記架台装置を動作させる制御手段とを備えた操作コンソール部とを有するＸ線ＣＴ装置であって、
前記被検体についての前記検査条件を選択するための第１の入力手段と、前記架台装置の動作開始を前記制御手段に指示するための第２の入力手段とが前記架台装置に設けられ、
前記制御手段は、前記第２の入力手段が入力されたことを受けて、前記第１の入力手段によって選択された前記検査条件に基づいて前記架台装置の動作を開始させることを特徴とするＸ線ＣＴ装置。
【請求項３】
前記第２の入力手段は、前記架台装置への被検体のセッティング及び前記第１の入力手段による前記検査条件の選択が終了した後に入力可能とされることを特徴とする請求項１又は２に記載のＸ線ＣＴ装置。
【請求項４】
前記被検体を識別する患者識別情報を入力するための第３の入力手段と、その第３の入力手段による入力を受けて、前記被検体の患者情報を表示する表示手段が前記架台装置に設けられたことを特徴とする請求項１又は２に記載のＸ線ＣＴ装置。
【請求項５】
前記操作室内に検者が入室したことを検知する検知手段が設けられ、その検知手段によって前記操作室内への検者の入室が検知されたことを受けた前記制御手段が、前記第１の入力手段によって選択された前記検査条件に基づいて前記架台装置の動作を開始させることを特徴とする請求項１又は２に記載のＸ線ＣＴ装置。
【発明の詳細な説明】
【技術分野】
【０００１】
本発明は、異なる部屋に設置された架台装置とコンソールパネル部とから構成されるＸ線ＣＴ装置に関するものである。
【背景技術】
【０００２】
従来の医用画像診断装置、例えばＸ線ＣＴ装置は、図７に示すように、隔壁で検査室と操作室とに仕切られており、Ｘ線管、Ｘ線検出器、ガントリ及び寝台装置などから構成される架台装置１が検査室内に設置され、操作室内に画像処理部、画像記録部及び画像表示装置などからなる操作コンソール部２が設置されていた。
【０００３】
そして、操作コンソールパネル２に設けられた入力装置などにより、患者識別情報、患者の姓名、生年月日、撮影体位などの患者情報を入力すると共に、前記寝台装置に載置された被検体へのスキャン開始を架台装置１に指示したり、画像表示装置のモニタ画面に表示して参照していた。
【発明の開示】
【発明が解決しようとする課題】
【０００４】
上述したように、従来のＸ線ＣＴ装置は、検査時に検者が被爆しないために、架台装置を操作する操作コンソール部はＸ線シールドされた操作室に設けられている。
【０００５】
従って、検者が１人で検査を行う場合、患者（被検体）をセッティングするために検査室に入り、架台装置に設けられた操作パネルを使ってセッティングを行う。
【０００６】
その後、検者は操作室に戻り、当該検査の検査条件を選択して検査を始めることになるが、この検査条件を選択してから架台装置にて実際に検査が始められるまでには、検査開始前の前処理が行われるため、その間は検者が待たなければならなかった。
【０００７】
具体的には、図８に示すように、以下のプロセス毎に要する時間を（Δｔと符号）で表すと、次のようになる。
検査条件の選択開始（Ｓ１０１）〜検査条件の選択終了（Ｓ１０２）    ：Δｔｍ
検者の移動（操作室→検査室）                                      ：Δｔｗ１
（検査条件の選択終了（Ｓ１０２）〜患者セッティング開始（Ｓ１０３）：Δｔｎ１）
患者セッティング開始（Ｓ１０３）〜患者セッティング終了（Ｓ１０４）：Δｔｐｓ
検者の移動（検査室→操作室）                                      ：Δｔｗ２
（患者セッティング終了（Ｓ１０４）〜スキャン開始指示（Ｓ１０５）  ：Δｔｎ２）
スキャン開始指示（Ｓ１０５）〜前処理実行（Ｓ１０６）              ：Δｔｎ３
前処理実行（Ｓ１０６）〜前処理終了（Ｓ１０７）                    ：Δｔｐ
前処理終了（Ｓ１０７）〜スキャン開始（Ｓ１０８）                  ：Δｔｎ４
スキャン開始（Ｓ１０８）〜スキャン終了（Ｓ１０９）                ：Δｔｓ
スキャン終了（Ｓ１０９）〜画像データ送信（Ｓ１１０）              ：Δｔｎ５
画像データ送信（Ｓ１１０）〜画像保存（Ｓ１１１）                  ：Δｔｎ６
画像保存（Ｓ１１１）〜画像表示（Ｓ１１２）                        ：Δｔｎ７
【０００８】
なお、検者が操作室から検査室へ移動するのに要する時間（Δｔｗ１）中に、検査条件に関する情報は操作コンソール部２から架台装置１へ送信されるので、Δｔｗ１は、Δｔｎ１を含む（Δｔｗ１≫Δｔｎ１）。
【０００９】
また、検者が検査室から操作室へ移動するのに要する時間（Δｔｗ２）中に、患者セッティング情報は操作コンソール部２から架台装置１へ送信されるので、Δｔｗ２は、Δｔｎ２を含む（Δｔｗ２≫Δｔｎ２）。
【００１０】
従って、従来の検査に要する時間Ｔ０１は、
Ｔ０１＝Δｔｍ＋（Δｔｗ１−Δｔｎ１）＋Δｔｐｓ＋（Δｔｗ２−Δｔｎ２）＋Δｔｐ＋Δｔｓ＋（Δｔｎ１＋Δｔｎ２＋Δｔｎ３＋Δｔｎ４＋Δｔｎ５＋Δｔｎ６＋Δｔｎ７）
【００１１】
一方、従来では、患者セッティングを先に行い、その後、検査条件を選択した上でスキャンを開始するやり方もある（検査条件選択→患者セッティングの後にスキャン開始する上記プロセスをパターン１とし、患者セッティング→検査条件選択の後にスキャン開始するプロセスをパターン２とする。）。
【００１２】
例えば、図９において、各プロセスに要する時間は次の通りである。
患者セッティング開始（Ｓ２０１）〜患者セッティング終了（Ｓ２０２）：Δｔｐｓ
検者の移動（検査室→操作室）                                      ：Δｔｗ２
（患者セッティング終了（Ｓ２０２）〜検査条件の選択開始（Ｓ２０３）：Δｔｎ１１）
検査条件の選択開始（Ｓ２０３）〜検査条件の選択終了（Ｓ２０４）    ：Δｔｍ
（検査条件の選択終了（Ｓ２０４）〜スキャン開始指示（Ｓ２０５）    ：Δｔｎ１２）
スキャン開始指示（Ｓ２０５）〜前処理実行（Ｓ１０６）              ：Δｔｎ３
前処理実行（Ｓ１０６）〜前処理終了（Ｓ１０７）                    ：Δｔｐ
前処理終了（Ｓ１０７）〜スキャン開始（Ｓ１０８）                  ：Δｔｎ４
スキャン開始（Ｓ１０８）〜スキャン終了（Ｓ１０９）                ：Δｔｓ
スキャン終了（Ｓ１０９）〜画像データ送信（Ｓ１１０）              ：Δｔｎ５
画像データ送信（Ｓ１１０）〜画像保存（Ｓ１１１）                  ：Δｔｎ６
画像保存（Ｓ１１１）〜画像表示（Ｓ１１２）                        ：Δｔｎ７
【００１３】
なお、検者が検査室から操作室へ移動するのに要する時間（Δｔｗ２）中に、患者セッティング情報は操作コンソール部２から架台装置１へ送信されるので、Δｔｗ２は、Δｔｎ１１を含む（Δｔｗ２≫Δｔｎ１１）。
【００１４】
従って、従来の検査に要する時間Ｔ０２は、
Ｔ０２＝Δｔｐｓ＋（Δｔｗ２−Δｔｎ１１）＋Δｔｍ＋Δｔｐ＋Δｔｓ＋（Δｔｎ１１＋Δｔｎ１２＋Δｔｎ３＋Δｔｎ４＋Δｔｎ５＋Δｔｎ６＋Δｔｎ７）
【００１５】
以上に示すように、従来では、画像保存（Ｓ１１１）や画像表示（Ｓ１１２）などの後操作のために操作室でスキャン開始指示（Ｓ１０５又はＳ２０５）を行った検者は、そのスキャン開始指示を受けた架台装置１の検査前処理（例えばＸ線管１１の予備加熱などのスキャン準備処理）が行われる時間Δｔｐ（Ｓ１０６〜Ｓ１０７）は操作室で待機せざるを得なく、それに要する時間Δｔｐが無駄であった。
【００１６】
本発明は、以上の問題点に鑑みてなされたものであって、その目的は、検査条件を選択し、スキャン開始を架台装置に指示してから実際に架台装置がスキャンを開始するまでに行われる検査前処理に要する時間を、検者が検査室と操作室との間を移動する時間に利用して、被検者毎に要する検査時間を短縮して、検査時間のスループットを向上し得るＸ線ＣＴ装置を提供することにある。
【課題を解決するための手段】
【００１７】
上記課題を解決するための、請求項１記載の発明に係るＸ線ＣＴ装置は、検査室内に設置され、被検体にＸ線を照射するＸ線管と、前記被検体を透過したＸ線を検出するＸ線検出器とを備えた架台装置と、操作室内に設置され、前記架台装置からの検出信号を取り込んで画像構成をするために、複数の検査条件が予め記憶された検査条件記憶手段と、前記検査条件の何れかを選択するための第１の入力手段と、前記検査条件に基づいて前記架台装置を動作させる制御手段とを備えた操作コンソール部とを有するＸ線ＣＴ装置であって、前記架台装置の動作開始を前記制御手段に指示するための第２の入力手段が前記架台装置に設けられ、前記制御手段は、前記第２の入力手段によって入力されたことを受けて、前記第１の入力手段によって選択された検査条件に基づいて前記架台装置の動作を開始させることを特徴とする。
【００１８】
このように、前記架台装置の動作開始を前記制御部に指示する第２の入力部を前記架台装置に設けることによって、検査条件を選択し、スキャン開始を架台装置に指示してから実際に架台装置がスキャンを開始するまでに行われる検査前処理に要する時間を、検者が検査室と操作室との間を移動する時間に利用して、被検者毎に要する検査時間を短縮することができ、結果として検査時間のスループットを向上させることができる。
【００１９】
上記課題を解決するための、請求項２記載の発明に係るＸ線ＣＴ装置は、検査室内に設置され、被検体にＸ線を照射するＸ線管と、前記被検体を透過したＸ線を検出するＸ線検出器とを備えた架台装置と、操作室内に設置され、前記架台装置からの検出信号を取り込んで画像構成をするために、複数の検査条件が予め記憶された検査条件記憶手段と、前記検査条件の何れかに基づいて前記架台装置を動作させる制御手段とを備えた操作コンソール部とを有するＸ線ＣＴ装置であって、前記被検体についての前記検査条件を選択するための第１の入力手段と、前記架台装置の動作開始を前記制御手段に指示するための第２の入力手段とが前記架台装置に設けられ、前記制御手段は、前記第２の入力手段が入力されたことを受けて、前記第１の入力手段によって選択された前記検査条件に基づいて前記架台装置の動作を開始させることを特徴とする。
【００２０】
このように、前記被検体についての前記検査条件の選択を受け付ける第１の入力部と前記架台装置の動作開始を前記制御部に指示する第２の入力部とを前記架台装置に設けることによって、検査条件の選択及びスキャン開始を検査室で行えるので、スキャン開始を指示してから実際に架台装置がスキャンを開始するまでに行われる検査前処理に要する時間を、検者が検査室と操作室との間を移動する時間に利用して、被検者毎に要する検査時間をさらに短縮することができ、結果として検査時間のスループットを向上させることができる。
【００２１】
上記課題を解決するための、請求項３記載の発明に係るＸ線ＣＴ装置は、請求項１又は２に記載のＸ線ＣＴ装置において、前記第２の入力手段は、前記架台装置への被検体のセッティング及び前記第１の入力手段による前記検査条件の選択が終了した後に入力可能とされることを特徴とする。
【００２２】
上記課題を解決するための、請求項４記載の発明に係るＸ線ＣＴ装置は、請求項１又は２に記載のＸ線ＣＴ装置において、前記被検体を識別する患者識別情報を入力するための第３の入力手段と、その第３の入力手段による入力を受けて、前記被検体の患者情報を表示する表示手段が前記架台装置に設けられたことを特徴とする。
【００２３】
上記課題を解決するための、請求項５記載の発明に係るＸ線ＣＴ装置は、請求項１又は２に記載のＸ線ＣＴ装置において、前記操作室内に検者が入室したことを検知する検知手段が設けられ、その検知手段によって前記操作室内への検者の入室が検知されたことを受けた前記制御手段が、前記第１の入力手段によって選択された前記検査条件に基づいて前記架台装置の動作を開始させることを特徴とする。
【発明の効果】
【００２４】
本発明によれば、第２の入力手段（例えば、スキャン開始ボタン）を架台装置に設けたので、スキャン開始の指示を受けてから実際にスキャンを開始するまでの間に架台装置で行われる検査前処理に要する時間を利用して検者が検査室から操作室に移動することができるので、検査時間を短縮して、検査時間のスループットを向上させることができる。
【発明を実施するための最良の形態】
【００２５】
以下、本発明の実施形態につき、図面を参照して説明する。なお、以下の説明において、略同一の機能及び構成を有する構成要素については、同一符号を付し、重複説明は必要な場合にのみ行う。
【００２６】
（第１の実施形態）
（構成）
図１は、本発明に係るＸ線ＣＴ装置の第１の実施形態における構成を示すブロック図である。図１に示すように、本実施形態のＸ線ＣＴ装置は、架台装置１と寝台装置３と操作コンソール部２とを備えて構成されている。
【００２７】
架台装置１は、高電圧発生部１４と、Ｘ線管１１と、Ｘ線検出器１２と、回転架台１３と、データ収集部（ＤＡＳ）１５と、回転駆動部１６と、第２の入力部１７とを備えて構成され、検査室に設置されている。
【００２８】
寝台装置３は、寝台駆動部３１と、寝台基台３２と、寝台天板３３とを備えて構成され、検査室に設置されている。
【００２９】
操作コンソール部２は、コンソール制御部２１と、第１の入力部２２と、前処理部２３と、投影データ記憶部２４と、再構成処理部２５と、画像記憶部２６と、画像処理部２７と、表示装置２８と、検査条件記憶部２９とを備えて構成され、操作室に設置されている。
【００３０】
ヘリカルスキャンによりスキャンを行なう場合、架台制御部１０は、第１の入力部２２を用いて入力されたスライス厚、回転速度等のヘリカルスキャン条件を検査条件記憶部２９に記憶（検査条件の選択）し、そのうち、回転速度、スライス厚、及びファン角度等を架台・寝台制御信号として架台制御部１０及び寝台駆動部３１に対して出力する。
【００３１】
また、架台制御部１０は、第２の入力部１７の入力（選択された検査条件に関する情報）を受けて、Ｘ線ビーム発生を制御するＸ線ビーム発生制御信号を高電圧発生部１４に対して出力する。さらに、架台制御部１０は、Ｘ線ビームの検出のタイミングを示す検出制御信号をデータ収集装置１５に対して出力する。
【００３２】
この第２の入力部１７は、架台装置１の表面に「操作パネル」の態様で設置されたタッチセンサ機能を有した表示パネルであり、その表示パネルに設けられた第３の入力手段に対して患者ＩＤなどの患者識別情報を入力することによってネットワークを用いて当該患者識別情報に対応づけられた患者情報を表示することができるようになっている。
【００３３】
また、第２の入力部１７は、架台装置１への被検体のセッティング及び第１の入力部２２による検査条件の選択が終了した後に寝台装置３や第１の入力部２２から送信される信号を契機に当該第２の入力部１７の入力が可能となる。このとき、入力可能となったことを検者が認知できるように、当該第２の入力部１７自体が点灯するように構成されることが望ましい。
【００３４】
さらに前記操作室内に検者が入室したことを検知する検知部（図示せず）が操作室の扉（検査室と操作室とを隔てる扉）などに設けられ、その検知部によって操作室内への検者の入室が検知されたことを受けるまで、架台制御部１０が第２の入力部１７を入力可能状態としないようにしてもよい。このような構成とすることで、検者が検査室から操作室内に移動したことを検知した状態で被検体Ｐにスキャン（Ｘ線の照射）を行うこととなるので、検者を必要以上の被爆から回避させることができる。なお、前記検知部は、例えば、前記扉近傍に設けられ、検査室に設けられた一の検知部と、操作室に設けられた他の検知部とから構成し、一の検知部によって検者が検知された後、他の検知部によって検者が検知されたことによって検者が検査室から操作室に移動したと検知される。
【００３５】
高電圧発生部１４は、Ｘ線管１１からＸ線ビームを曝射させるための高電圧を架台制御部１１からの制御信号に従ってＸ線管１１に供給する。
【００３６】
Ｘ線管１１は、高電圧発生装置１３から供給された高電圧によってＸ線ビームを曝射する。Ｘ線管１１から曝射されるＸ線ビームは、ファン状やコーン状のビームとなる。
【００３７】
Ｘ線検出器１７は、Ｘ線管１１から曝射され、被検体を透過したＸ線ビームを検出する。シングルスライスＣＴ装置の場合、Ｘ線検出器１２は、ファン状又は直線状に例えば１０００チャンネルのＸ線検出素子を１列に並べて構成されている。また、マルチスライスＣＴ装置の場合、Ｘ線検出器１２は、Ｘ線検出素子を互いに直交する２方向（スライス方向及びチャンネル方向を成す）それぞれにアレイ状に複数個配列され、これにより２次元のＸ線検出器を成している。
【００３８】
回転架台１３（ガントリ）は、Ｘ線管１１とＸ線検出器１２とを内部に保持する。また、回転架台１３は、架台駆動部１６により、Ｘ線管１１とＸ線検出器１２との中間点を通る回転軸を中心にして回転させられる。
【００３９】
データ収集部１５（ＤＡＳ）は、Ｘ線検出器１２の各Ｘ線検出素子と同様にアレイ状に配列されたデータ収集素子を有し、Ｘ線検出器１２により検出されたＸ線ビーム（実際には検出信号）を、架台制御部１０により出力されたデータ収集制御信号に対応させて収集する。この収集されたデータがＸ線投影データとなる。
【００４０】
回転架台１３が１回転するときに、例えば１０００回Ｘ線投影データを収集し、このＸ線投影データを基に後述の方法で画像再構成する。
【００４１】
架台駆動部１６は、架台制御部１０により出力された架台制御信号に基づいて、回転架台１３を回転させる。
【００４２】
寝台駆動部２５は、架台制御部１０から出力された寝台移動信号に基づいて、回転架台１９の1回転当たりの寝台天板３３の移動量を求め、この移動量で寝台天板３３を移動させる。寝台基台３２は、寝台駆動部３１により寝台天板３３を上下方向に移動させる。寝台天板３３は被検体Ｐを載せ、被検体Ｐの体軸方向（Ｚ軸方向：スライス方向）に移動可能となっている。
【００４３】
前処理部２３は、データ収集部１５から出力されたＸ線投影データに感度補正やＸ線強度補正等を施す。前処理部２３にて感度補正等の処理が施されたＸ線投影データは、投影データ記憶部２４に一旦記憶される。
【００４４】
再構成処理部２５は、投影データ記憶部２４に記憶されたＸ線投影データを逆投影処理することにより、画像データを再構成する。この逆投影の方法は公知の方法と同じである。また、Ｘ線投影データに対して補間処理を行う場合は、３６０度補間法又は１８０度補間法（対向データ補間法）等の公知の補間法により、目的のスライス位置におけるＸ線投影データを求める。
【００４５】
再構成された画像データは、画像記憶部２６に一旦記憶された後、画像処理部２７に送られる。画像処理部２７は、第１の入力部２２にて入力された操作者の指示に基づき、画像データを公知の方法により、任意断面の断層像、任意方向からの投影像、又はレンダリング処理による３次元画像等の画像データに変換して表示装置２８に出力する。表示装置２８は、画像処理部２７から出力された断層像等をモニタ上に表示する。
【００４６】
（動作）
次に、本実施形態の動作及びその時間経過について図面を参照して以下に説明する。図２は、本実施形態の動作及びその時間経過を示すシーケンス図である。図２に示すように、以下のプロセス毎に要する時間を（Δｔと符号）で表すと、次のようになる。なお、本実施形態の動作は、従来のパターン１（検査条件の選択→患者セッティング→スキャン開始）に対応したものである。
検査条件の選択開始（Ｓ１）〜検査条件の選択終了（Ｓ２）        ：Δｔｍ
検者の移動（操作室→検査室）                                  ：Δｔｗ１
（検査条件の選択終了（Ｓ２）〜患者セッティング開始（Ｓ３）    ：Δｔｎ１）
患者セッティング開始（Ｓ３）〜患者セッティング終了（Ｓ４）    ：Δｔｐｓ
患者セッティング終了（Ｓ４）〜スキャン開始指示（Ｓ５）        ：Δｔｎ２
スキャン開始指示（Ｓ５）〜前処理実行（Ｓ１０６）              ：Δｔｎ３
前処理実行（Ｓ１０６）〜前処理終了（Ｓ１０７）                ：Δｔｐ
前処理終了（Ｓ１０７）〜スキャン開始（Ｓ１０８）              ：Δｔｎ４
スキャン開始（Ｓ１０８）〜スキャン終了（Ｓ１０９）            ：Δｔｓ
スキャン終了（Ｓ１０９）〜画像データ送信（Ｓ１１０）          ：Δｔｎ５
画像データ送信（Ｓ１１０）〜画像保存（Ｓ１１１）              ：Δｔｎ６
画像保存（Ｓ１１１）〜画像表示（Ｓ１１２）                    ：Δｔｎ７
【００４７】
ここで、前記検査条件は、一連の流れをプリセットというかたちで纏めた撮影プログラムであるエキスパートプラン（ＥＰ）であってもよい。このエキスパートプラン（ＥＰ）は検査条件記憶部２９に予め記憶される。
【００４８】
このエキスパートプランとは、例えば、Ｘ線ＣＴ装置において、被検体の肺野部から腹部にかけてのスキャンを行う場合、肺野部は少ないＸ線量のスキャンで十分であり、これに対して腹部は多いＸ線量のスキャンを必要とするため、前半のスキャンは少ないＸ線量で行い、後半のスキャンは多いＸ線量でスキャンを行うような検査条件が段階的に設定されることによって構成されるプログラムである。
【００４９】
また、上記「患者セッティング」とは、本発明において以下のような作業をいう。
（１）寝台装置３にある「オートリセットスイッチ」などを使用して、被検体Ｐを載置した寝台天板３３のおおよその高さをセッティングする。
（２）寝台装置３に設置された「↑」スイッチや「↓」スイッチを用いて、寝台天板３３の高さを微調整し、被検体Ｐの頭部の中心に位置決めのために設けられた投光器（図示せず）が照射するマークを合わせる。
（３）被検体Ｐの仰臥方向から見て、被検体Ｐが中心位置（正中線上）にあることを確認する。このとき、被検体Ｐがずれているときは被検体Ｐの頭部を動かして調節する。
（４）スキャン像を得たい角度にガントリをチルトさせる。
「チルト角度操作キー」でガントリをチルトさせて、ＯＭライン（Ｏｒｂｉｔｏ−Ｍｅａｔａ  Ｌｉｎｅ；外眼角と外耳口中央とを結んだ線）に前記投光器（図示せず）が照射する光を合わせる。
【００５０】
本実施形態における検査に要する所要時間Ｔ１は、
Ｔ１＝Δｔｍ＋Δｔｗ１＋Δｔｐｓ＋Δｔｐ＋Δｔｓ＋（Δｔｎ１＋Δｔｎ２＋Δｔｎ３＋Δｔｎ４＋Δｔｎ５＋Δｔｎ６＋Δｔｎ７）
【００５１】
なお、スキャン開始指示（Ｓ５）を行った後に検者が検査室から操作室へ移動するのに要する時間（Δｔw2）は、（Δｔｎ３＋Δｔｐ＋Δｔｎ４＋Δｔｓ＋Δｔｎ５＋Δｔｎ６）に含まれるので、検査全体の所要時間には加算されない。
【００５２】
ここで、本実施形態に対応する従来（パターン１）の検査に要する時間Ｔ０１は、
Ｔ０１＝Δｔｍ＋Δｔｗ１＋Δｔｐｓ＋（Δｔｗ２−Δｔｎ１）＋Δｔｐ＋Δｔｓ＋（Δｔｎ１＋Δｔｎ２＋Δｔｎ３＋Δｔｎ４＋Δｔｎ５＋Δｔｎ６＋Δｔｎ７）なので、
Ｔ１＝Ｔ０１−（Δｔｗ２−Δｔｎ１）
従って、従来（Ｔ０１）よりも約Δｔw２だけ所要時間を短縮できる。
【００５３】
以上のような構成とすることにより、検査条件を選択し、スキャン開始を架台装置に指示してから実際に架台装置がスキャンを開始するまでに行われる検査前処理に要する時間を、検者が検査室と操作室との間を移動する時間に利用して、被検者毎に要する検査時間を短縮して、検査時間のスループットを向上することができる。
【００５４】
（第２の実施形態）
次に、本発明に係るＸ線ＣＴ装置の第２の実施形態について図面を参照して以下に説明する。なお、本実施形態は、前述の第１の実施形態と構成を同じくし、動作については、従来のパターン２（患者セッティング→検査条件の選択→スキャン開始）に対応したものなので、その構成の説明については省略し、動作について主に説明する。
【００５５】
図３は、本実施形態の動作及びその時間経過を示すシーケンス図である。図３に示すように、以下のプロセス毎に要する時間を（Δｔと符号）で表すと、次のようになる。
患者セッティング開始（Ｓ１１）〜患者セッティング終了（Ｓ１２）    ：Δｔｐｓ
検者の移動（検査室→操作室）                                      ：Δｔｗ２
（患者セッティング終了（Ｓ１２）〜検査条件の選択開始（Ｓ１３）    ：Δｔｎ１１）
検査条件の選択開始（Ｓ１３）〜検査条件の選択終了（Ｓ１４）        ：Δｔｍ
検者の移動（操作室→検査室）                                      ：Δｔｗ１
（検査条件の選択終了（Ｓ１４）〜スキャン開始指示（Ｓ１５）        ：Δｔｎ１２）
スキャン開始指示（Ｓ１５）〜前処理実行（Ｓ１０６）                ：Δｔｎ３
前処理実行（Ｓ１０６）〜前処理終了（Ｓ１０７）                    ：Δｔｐ
前処理終了（Ｓ１０７）〜スキャン開始（Ｓ１０８）                  ：Δｔｎ４
スキャン開始（Ｓ１０８）〜スキャン終了（Ｓ１０９）                ：Δｔｓ
スキャン終了（Ｓ１０９）〜画像データ送信（Ｓ１１０）              ：Δｔｎ５
画像データ送信（Ｓ１１０）〜画像保存（Ｓ１１１）                  ：Δｔｎ６
画像保存（Ｓ１１１）〜画像表示（Ｓ１１２）                        ：Δｔｎ７
【００５６】
よって、本実施形態における検査に要する所要時間Ｔ２は、
Ｔ２＝Δｔｐｓ＋（Δｔｗ２−Δｔｎ１１）＋Δｔｍ＋（Δｔｗ１−Δｔｎ１２）＋Δｔｐ＋Δｔｓ＋（Δｔｎ１１＋Δｔｎ１２＋Δｔｎ３＋Δｔｎ４＋Δｔｎ５＋Δｔｎ６＋Δｔｎ７）
【００５７】
なお、検者が検査室から操作室へ移動するのに要する時間（Δｔｗ２）中に、患者セッティングが終了したことを伝える信号は架台装置の操作パネルから操作コンソール部へ送信されるので、Δｔｗ２は、Δｔｎ１１を含む（Δｔｗ２≫Δｔｎ１１）。また、検者が操作室から検査室へ移動するのに要する時間（Δｔｗ１）中に、検査条件に関する情報が操作コンソール部から架台装置へ送信されるので、Δｔｗ１は、Δｔｎ１２を含む（Δｔｗ１≫Δｔｎ１２）。
【００５８】
また、スキャン開始指示（Ｓ１５）を行った後に検者が検査室から操作室へ移動するのに要する時間（Δｔw2）は、（Δｔｎ３＋Δｔｐ＋Δｔｎ４＋Δｔｓ＋Δｔｎ５＋Δｔｎ６）に含まれるので、検査全体の所要時間には加算されない。
【００５９】
ここで、本実施形態に対応する従来（パターン２）の検査に要する時間Ｔ０２は、
Ｔ０２＝Δｔｐｓ＋（Δｔｗ２−Δｔｎ１１）＋Δｔｍ＋Δｔｐ＋Δｔｓ＋（Δｔｎ１１＋Δｔｎ１２＋Δｔｎ３＋Δｔｎ４＋Δｔｎ５＋Δｔｎ６＋Δｔｎ７）なので、
Ｔ２＝Ｔ０２−（Δｔｗ１−Δｔｎ１２）
従って、従来（Ｔ０２）よりも約Δｔw１だけ所要時間を短縮できる。
【００６０】
（第３の実施形態）
次に、本発明に係るＸ線ＣＴ装置の第３の実施形態について図面を参照して以下に説明する。本実施形態と、前述の第１の実施形態及び第２の実施形態との構成上の違いは、第２の入力手段１７を架台装置１に設けただけではなく、検査条件を選択するための第１の入力手段２２をも架台装置１に設けたことである。また、動作については、従来のパターン１（検査条件の選択→患者セッティング→スキャン開始）に対応したものである。
【００６１】
（構成）
図４は、本発明に係るＸ線ＣＴ装置の第３の実施形態における構成を示すブロック図である。図４に示すように、本実施形態のＸ線ＣＴ装置は、前述の第１の実施形態と同様、架台装置１と寝台装置３と操作コンソール部２とを備えて構成されている。
【００６２】
架台装置１は、高電圧発生部１４と、Ｘ線管１１と、Ｘ線検出器１２と、回転架台１３と、データ収集部（ＤＡＳ）１５と、回転駆動部１６と、第１の入力部２２と、第２の入力部１７とを備えて構成され、検査室に設置されている。
【００６３】
寝台装置３は、寝台駆動部３１と、寝台基台３２と、寝台天板３３とを備えて構成され、検査室に設置されている。
【００６４】
操作コンソール部２は、コンソール制御部２１と、前処理部２３と、投影データ記憶部２４と、再構成処理部２５と、画像記憶部２６と、画像処理部２７と、表示装置２８と、検査条件記憶部２９とを備えて構成され、操作室に設置されている。
【００６５】
ヘリカルスキャンによりスキャンを行なう場合、架台制御部１０は、第１の入力部２２を用いて入力されたスライス厚、回転速度等のヘリカルスキャン条件を検査条件記憶部２９に記憶（検査条件の選択）し、そのうち、回転速度、スライス厚、及びファン角度等を架台・寝台制御信号として架台制御部１０及び寝台駆動部３１に対して出力する。
【００６６】
また、架台制御部１０は、第２の入力部１７の入力（選択された検査条件に関する情報）を受けて、Ｘ線ビーム発生を制御するＸ線ビーム発生制御信号を高電圧発生部１４に対して出力する。さらに、架台制御部１０は、Ｘ線ビームの検出のタイミングを示す検出制御信号をデータ収集装置１５に対して出力する。
【００６７】
この第２の入力部１７は、架台装置１の表面に「操作パネル」の態様で設置されたタッチセンサ機能を有した表示パネルであり、その表示パネルに設けられた第３の入力手段に対して患者ＩＤなどの患者識別情報を入力することによってネットワークを用いて当該患者識別情報に対応づけられた患者情報を表示することができるようになっている。
【００６８】
また、第２の入力部１７は、架台装置１への被検体のセッティング及び第１の入力部２２による検査条件の選択が終了した後に寝台装置３や第１の入力部２２から送信される信号を契機に当該第２の入力部１７の入力が可能となる。このとき、入力可能となったことを検者が認知できるように、当該第２の入力部１７自体が点灯するように構成されることが望ましい。
【００６９】
さらに前記操作室内に検者が入室したことを検知する検知部（図示せず）が操作室の扉（検査室と操作室とを隔てる扉）などに設けられ、その検知部によって操作室内への検者の入室が検知されたことを受けるまで、架台制御部１０が第２の入力部１７を入力可能状態としないようにしてもよい。このような構成とすることで、検者が検査室から操作室内に移動したことを検知した状態で被検体Ｐにスキャン（Ｘ線の照射）を行うこととなるので、検者を必要以上の被爆から回避させることができる。なお、前記検知部は、例えば、前記扉近傍に設けられ、検査室に設けられた一の検知部と、操作室に設けられた他の検知部とから構成し、一の検知部によって検者が検知された後、他の検知部によって検者が検知されたことによって検者が検査室から操作室に移動したと検知される。
【００７０】
高電圧発生部１４は、Ｘ線管１１からＸ線ビームを曝射させるための高電圧を架台制御部１１からの制御信号に従ってＸ線管１１に供給する。
【００７１】
Ｘ線管１１は、高電圧発生装置１３から供給された高電圧によってＸ線ビームを曝射する。Ｘ線管１１から曝射されるＸ線ビームは、ファン状やコーン状のビームとなる。
【００７２】
Ｘ線検出器１７は、Ｘ線管１１から曝射され、被検体を透過したＸ線ビームを検出する。シングルスライスＣＴ装置の場合、Ｘ線検出器１２は、ファン状又は直線状に例えば１０００チャンネルのＸ線検出素子を１列に並べて構成されている。また、マルチスライスＣＴ装置の場合、Ｘ線検出器１２は、Ｘ線検出素子を互いに直交する２方向（スライス方向及びチャンネル方向を成す）それぞれにアレイ状に複数個配列され、これにより２次元のＸ線検出器を成している。
【００７３】
回転架台１３（ガントリ）は、Ｘ線管１１とＸ線検出器１２とを内部に保持する。また、回転架台１３は、架台駆動部１６により、Ｘ線管１１とＸ線検出器１２との中間点を通る回転軸を中心にして回転させられる。
【００７４】
データ収集部１５（ＤＡＳ）は、Ｘ線検出器１２の各Ｘ線検出素子と同様にアレイ状に配列されたデータ収集素子を有し、Ｘ線検出器１２により検出されたＸ線ビーム（実際には検出信号）を、架台制御部１０により出力されたデータ収集制御信号に対応させて収集する。この収集されたデータがＸ線投影データとなる。
【００７５】
回転架台１３が１回転するときに、例えば１０００回Ｘ線投影データを収集し、このＸ線投影データを基に後述の方法で画像再構成する。
【００７６】
架台駆動部１６は、架台制御部１０により出力された架台制御信号に基づいて、回転架台１３を回転させる。
【００７７】
寝台駆動部２５は、架台制御部１０から出力された寝台移動信号に基づいて、回転架台１９の1回転当たりの寝台天板３３の移動量を求め、この移動量で寝台天板３３を移動させる。寝台基台３２は、寝台駆動部３１により寝台天板３３を上下方向に移動させる。寝台天板３３は被検体Ｐを載せ、被検体Ｐの体軸方向（Ｚ軸方向：スライス方向）に移動可能となっている。
【００７８】
前処理部２３は、データ収集部１５から出力されたＸ線投影データに感度補正やＸ線強度補正等を施す。前処理部２３にて感度補正等の処理が施されたＸ線投影データは、投影データ記憶部２４に一旦記憶される。
【００７９】
再構成処理部２５は、投影データ記憶部２４に記憶されたＸ線投影データを逆投影処理することにより、画像データを再構成する。この逆投影の方法は公知の方法と同じである。また、Ｘ線投影データに対して補間処理を行う場合は、３６０度補間法又は１８０度補間法（対向データ補間法）等の公知の補間法により、目的のスライス位置におけるＸ線投影データを求める。
【００８０】
再構成された画像データは、画像記憶部２６に一旦記憶された後、画像処理部２７に送られる。画像処理部２７は、第１の入力部２２にて入力された操作者の指示に基づき、画像データを公知の方法により、任意断面の断層像、任意方向からの投影像、又はレンダリング処理による３次元画像等の画像データに変換して表示装置２８に出力する。表示装置２８は、画像処理部２７から出力された断層像等をモニタ上に表示する。
【００８１】
（動作）
図５は、本実施形態の動作及びその時間経過を示すシーケンス図である。図５に示すように、以下のプロセス毎に要する時間を（Δｔと符号）で表すと、次のようになる。
検査条件の選択開始（Ｓ２１）〜検査条件の選択終了（Ｓ２２）        ：Δｔｍ
検査条件の選択終了（Ｓ２２）〜患者セッティング開始（Ｓ２３）      ：Δｔｎ１
患者セッティング開始（Ｓ２３）〜患者セッティング終了（Ｓ２４）    ：Δｔｐｓ
患者セッティング終了（Ｓ２４）〜スキャン開始指示（Ｓ２５）        ：Δｔｎ２
スキャン開始指示（Ｓ２５）〜前処理実行（Ｓ２６）                  ：Δｔｎ３
前処理実行（Ｓ１０６）〜前処理終了（Ｓ１０７）                    ：Δｔｐ
前処理終了（Ｓ１０７）〜スキャン開始（Ｓ１０８）                  ：Δｔｎ４
スキャン開始（Ｓ１０８）〜スキャン終了（Ｓ１０９）                ：Δｔｓ
スキャン終了（Ｓ１０９）〜画像データ送信（Ｓ１１０）              ：Δｔｎ５
画像データ送信（Ｓ１１０）〜画像保存（Ｓ１１１）                  ：Δｔｎ６
画像保存（Ｓ１１１）〜画像表示（Ｓ１１２）                        ：Δｔｎ７
本実施形態における検査に要する所要時間Ｔ３は、
Ｔ３＝Δｔｍ＋Δｔｐｓ＋Δｔｐ＋Δｔｓ＋（Δｔｎ１＋Δｔｎ２＋Δｔｎ３＋Δｔｎ４＋Δｔｎ５＋Δｔｎ６＋Δｔｎ７）
【００８２】
なお、スキャン開始指示（Ｓ２５）を行った後に検者が検査室から操作室へ移動するのに要する時間（Δｔw2）は、（Δｔｎ３＋Δｔｐ＋Δｔｎ４＋Δｔｓ＋Δｔｎ５＋Δｔｎ６）に含まれるので、所要時間には加算されない。
【００８３】
ここで、本実施形態に対応する従来（パターン１）の検査に要する時間Ｔ０１は、
Ｔ０１＝Δｔｍ＋Δｔｗ１＋Δｔｐｓ＋（Δｔｗ２−Δｔｎ１）＋Δｔｐ＋Δｔｓ＋（Δｔｎ１＋Δｔｎ２＋Δｔｎ３＋Δｔｎ４＋Δｔｎ５＋Δｔｎ６＋Δｔｎ７）なので、
Ｔ３＝Ｔ０１−（Δｔｗ１＋Δｔｗ２−Δｔｎ１）
【００８４】
従って、従来（Ｔ０１）よりも約Δｔｗ１＋Δｔｗ２だけ所要時間を短縮できる。
【００８５】
（第４の実施形態）
次に、本発明に係るＸ線ＣＴ装置の第４の実施形態について図面を参照して以下に説明する。なお、本実施形態は、前述の第３の実施形態と構成を同じくし、動作については、従来のパターン２（患者セッティング→検査条件の選択→スキャン開始）に対応したものなので、その構成の説明については省略し、動作について主に説明する。
【００８６】
図６は、本実施形態の動作及び時間経過を示すシーケンス図である。図６に示すように、以下のプロセス毎に要する時間を（Δｔと符号）で表すと、次のようになる。
患者セッティング開始（Ｓ３１）〜患者セッティング終了（Ｓ３２）    ：Δｔｐｓ
患者セッティング終了（Ｓ３２）〜検査条件の選択開始（Ｓ３３）      ：Δｔｎ１１
検査条件の選択開始（Ｓ３３）〜検査条件の選択終了（Ｓ３４）        ：Δｔｍ
検査条件の選択終了（Ｓ３４）〜スキャン開始指示（Ｓ３５）          ：Δｔｎ１２
スキャン開始指示（Ｓ１５）〜前処理実行（Ｓ１０６）                ：Δｔｎ３
前処理実行（Ｓ１０６）〜前処理終了（Ｓ１０７）                    ：Δｔｐ
前処理終了（Ｓ１０７）〜スキャン開始（Ｓ１０８）                  ：Δｔｎ４
スキャン開始（Ｓ１０８）〜スキャン終了（Ｓ１０９）                ：Δｔｓ
スキャン終了（Ｓ１０９）〜画像データ送信（Ｓ１１０）              ：Δｔｎ５
画像データ送信（Ｓ１１０）〜画像保存（Ｓ１１１）                  ：Δｔｎ６
画像保存（Ｓ１１１）〜画像表示（Ｓ１１２）                        ：Δｔｎ７
【００８７】
本実施形態における検査に要する所要時間Ｔ４は、
Ｔ４＝Δｔｐｓ＋Δｔｍ＋Δｔｐ＋Δｔｓ＋（Δｔｎ１１＋Δｔｎ１２＋Δｔｎ３＋Δｔｎ４＋Δｔｎ５＋Δｔｎ６＋Δｔｎ７）
【００８８】
なお、スキャン開始指示（Ｓ３５）を行った後に検者が検査室から操作室へ移動するのに要する時間（Δｔw2）は、（Δｔｎ３＋Δｔｐ＋Δｔｎ４＋Δｔｓ＋Δｔｎ５＋Δｔｎ６＋Δｔｎ７）に含まれるので、検査全体の所要時間には加算されない。
【００８９】
ここで、本実施形態に対応する従来（パターン２）の検査に要する時間Ｔ０２は、
Ｔ０２＝Δｔｐｓ＋（Δｔｗ２−Δｔｎ１１）＋Δｔｍ＋Δｔｐ＋Δｔｓ＋（Δｔｎ１１＋Δｔｎ１２＋Δｔｎ３＋Δｔｎ４＋Δｔｎ５＋Δｔｎ６＋Δｔｎ７）なので、
Ｔ４＝Ｔ０２−（Δｔｗ２−Δｔｎ１１）
従って、従来（Ｔ０２）よりも約Δｔw２だけ所要時間を短縮できる。
【００９０】
上述の各実施形態は、本発明の一例であり、本発明は上記実施形態に限定されることはない。また、この他であっても、本発明に係る技術的思想を逸脱しない範囲であれば、設計等に応じて種々の変更が可能である。
【図面の簡単な説明】
【００９１】
【図１】本発明に係るＸ線ＣＴシステムの第１の実施形態における構成を示すブロック図。
【図２】本発明に係るＸ線ＣＴ装置の第１の実施形態における動作を示すシーケンス図。
【図３】本発明に係るＸ線ＣＴ装置の第２の実施形態における動作を示すシーケンス図。
【図４】本発明に係るＸ線ＣＴシステムの第３の実施形態における構成を示すブロック図。
【図５】本発明に係るＸ線ＣＴ装置の第３の実施形態における動作を示すシーケンス図。
【図６】本発明に係るＸ線ＣＴ装置の第４の実施形態における動作を示すシーケンス図。
【図７】従来のＸ線ＣＴ装置の設置構成を示す図。
【図８】従来のＸ線ＣＴ装置の動作を示すシーケンス図。
【図９】従来のＸ線ＣＴ装置の変形例の動作を示すシーケンス図。
【符号の説明】
【００９２】
１  架台装置
１０  架台制御部
１１  Ｘ線管
１２  Ｘ線検出器
１３  回転架台
１４  高電圧発生部
１５  データ収集部（ＤＡＳ）
１６  回転駆動部
１７  第２の入力部
２  操作コンソール部
２１  制御部
２２  第１の入力部
２３  前処理部
２４  投影データ記憶部
２５  再構成処理部
２６  画像記憶部
２７  画像処理部
２８  表示装置
２９  検査条件記憶部
３  寝台装置
３１  寝台駆動部
３２  寝台基台
３３  寝台天板
Ｐ  被検体
【図１】
0004634903.tif 000002
【図２】
0004634903.tif 000003
【図３】
0004634903.tif 000004
【図４】
0004634903.tif 000005
【図５】
0004634903.tif 000006
【図６】
0004634903.tif 000007
【図７】
0004634903.tif 000008
【図８】
0004634903.tif 000009
【図９】
0004634903.tif 000010